Podtech/llm-jp-corpus-v4-ja_patent huggingface dataset:
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
反応基質として１，１，３−トリクロロプロペンおよび／または３，３，３−トリクロロプロペンおよびＣｌ２ガスと、１種以上のハロゲン化鉄化合物を含む脱塩酸触媒とを用いて、ＣＳＲＴ、反応塔、および全縮器を備える単一反応器で製造を行う、１，１，２，３−テトラクロロプロペン（ＨＣＣ−１２３０ｘａ）の製造方法。
【請求項２】
前記触媒がＦｅＣｌ３を含む、請求項１に記載の製造方法。
【請求項３】
前記反応塔が（ａ）Ｃｌ２供給ゾーン、（ｂ）反応ゾーン、（ｃ）有機物共給ゾーン、（ｄ）クリーンアップゾーンを含む、４つのゾーンに分割される、請求項１に記載の製造方法。
【手続補正２】
【補正対象書類名】明細書
【補正対象項目名】００２５
【補正方法】変更
【補正の内容】
【００２５】
前述の記載は本発明の一例を示すにすぎないことが理解されるべきである。本発明から逸脱しない範囲で当業者による種々の変更、修飾が可能である。したがって、本発明は、後述するクレームの範囲内においてそのようなすべての変更、修飾、変化を包含する。
以下に実施態様を記載する。
態様１
反応基質として１，１，３−トリクロロプロペンおよび／または３，３，３−トリクロロプロペンおよびＣｌ２ガスと、脱塩酸触媒とを用いて単一反応器で製造を行う、ＨＣＣ−１２３０ｘａの製造方法。
態様２
前記脱塩酸触媒が１種以上のハロゲン化鉄化合物である、態様１に記載の製造方法。
態様３
前記ハロゲン化鉄化合物が１種以上の塩化物を含む、態様２に記載の製造方法。
態様４
前記触媒がＦｅＣｌ３を含む、態様３に記載の製造方法。
態様５
前記単一反応器がＣＳＲＴ、反応塔、および全縮器を備える態様１に記載の製造方法。
態様６
前記反応塔が（ａ）Ｃｌ２供給ゾーン、（ｂ）反応ゾーン、（ｃ）有機物共給ゾーン、（ｄ）クリーンアップゾーンを含む、４つのゾーンに分割される、態様５に記載の製造方法。
態様７
１，１，３−トリクロロプロペンを、前記有機物供給ゾーンを介して前記反応塔に供給する、態様６に記載の製造方法。
態様８
Ｃｌ２ガスを、Ｃｌ２供給ゾーンを介して前記反応塔に供給する、態様６に記載の製造方法。
態様９
前記反応塔内部が空洞である、態様６に記載の製造方法。
態様１０
前記反応塔に塩素耐性材料が充填されている、あるいは前記反応塔が気体／液体の接触を促進するトレー／プレートもしくは撹拌手段を備える、態様６に記載の製造方法。
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
抗−Ｆｌｔ−１抗体又はその抗原結合フラグメントを含む、デュシェンヌ型筋ジストロフィー（ＤＭＤ）の治療における使用のための組成物。
【請求項２】
前記抗体又はフラグメントが、表面プラズモン共鳴結合アッセイにおいて１０−９Ｍより大きく、必要に応じて１０−１０Ｍより大きいまたは１０−１２Ｍより大きい親和力でヒトＦｌｔ−１と結合する能力で特徴づけられる、請求項１に記載の組成物。
【請求項３】
前記抗体又はフラグメントが、ヒトＦｌｔ−１との競合アッセイにおいて、１００ｐＭ未満、必要に応じて１０ｐＭ未満または１ｐＭ未満のＩＣ５０で特徴づけられ、必要に応じて、前記競合アッセイが、ヒトＦｌｔ−１に対するＶＥＧＦまたはＰＬＧＦの結合の阻害である、請求項１または２に記載の組成物。
【請求項４】
前記抗体又はフラグメントが、ＶＥＧＦＲ２及び／又はＶＥＧＦＲ３と結合せず、必要に応じて、前記抗体又はフラグメントは、（ｉ）マウス又はサルのＦｌｔ−１と結合しないか、または（ｉｉ）マウス及び／又はサルのＦｌｔ−１と結合する、請求項１〜３のいずれか１項に記載の組成物。
【請求項５】
前記抗体又はフラグメントが、ＩｇＧ、Ｆ（ａｂ’）２、Ｆ（ａｂ）２、Ｆａｂ’、Ｆａｂ、ＳｃＦｖｓ、二重特異性抗体、三重特異性抗体、及び四重特異性抗体からなる群から選択され、必要に応じて、前記抗体又はフラグメントがＩｇＧ、例えば、ＩｇＧ１であり、かつ／またはモノクローナル抗体、例えば、ヒト化モノクローナル抗体である、請求項１〜４のいずれか１項に記載の組成物。
【請求項６】
前記ヒト化モノクローナル抗体が、ヒトＦｃ領域を含み、必要に応じて、前記Ｆｃ領域が、前記抗体のインビボにおける半減期を長くするように、Ｆｃ領域とＦｃＲｎ受容体との結合親和性を向上させる１以上の変異を含み、必要に応じて、前記Ｆｃ領域が、ヒトＩｇＧ１のＴｈｒ２５０、Ｍｅｔ２５２、Ｓｅｒ２５４、Ｔｈｒ２５６、Ｔｈｒ３０７、Ｇｌｕ３８０、Ｍｅｔ４２８、Ｈｉｓ４３３、及び／又はＡｓｎ４３４に対応する１以上の位置で１以上の変異を含む、請求項５に記載の組成物。
【請求項７】
前記組成物が、（ｉ）非経口的に投与され、必要に応じて、前記非経口的投与は、静脈内、皮内、くも膜下、吸入、経皮（局所）、眼内、筋肉内、皮下、及び／又は経粘膜投与から選択されるか、または（ｉｉ）経口的に投与されることを特徴とする、請求項１〜６のいずれか１項に記載の組成物。
【請求項８】
前記組成物が、２ヶ月に１回、１ヶ月に１回、３週間に１回、２週間に１回、１週間に１回、毎日又は不定の間隔で投与されることを特徴とする、請求項１〜７のいずれか１項に記載の組成物。
【請求項９】
前記抗体又はフラグメントが、（ｉ）表１から選択される１種以上の骨格筋、及び／又は（ｉｉ）横隔膜、三頭筋、ヒラメ筋、前頸骨筋、腓腹筋、長指伸筋、腹直筋、及び／又は四頭筋から選択される１種以上の標的組織、及び／又は（ｉｉｉ）心臓に送達される、請求項１〜８のいずれか１項に記載の組成物。
【請求項１０】
前記組成物の投与が、（ｉ）筋再生、線維化の減少、安定性の増大、筋力の増大、柔軟性の増大、可動範囲の増大、体力の増大、疲労の減少、血流量の増大、認識力の向上、肺機能の改善、及び／又は炎症の阻害、及び／又は（ｉｉ）ＤＭＤの少なくとも１種の症状又は特徴の、激しさ、重症度又は頻度における減少、あるいは発症の遅延をもたらし、ここで、必要に応じて、前記ＤＭＤの少なくとも１種の症状又は特徴が、筋消耗、筋力低下、筋肉の脆弱性、筋肉肥大、筋の仮性肥大、関節性拘縮、骨格奇形、心筋症、嚥下障害、大腸及び膀胱の機能障害、筋虚血、認知障害、行動機能障害、社会化障害、脊柱側弯症、及び呼吸機能障害からなる群から選択される、請求項１〜９のいずれか１項に記載の組成物。
【請求項１１】
表面プラズモン共鳴結合アッセイにおいて、ヒトＦｌｔ−１に対して１０−９Ｍより大きい結合親和性を有する、抗−Ｆｌｔ−１抗体又はその抗原結合フラグメント。
【請求項１２】
ヒトＦｌｔ−１に対する前記結合親和性が、表面プラズモン共鳴結合アッセイにおいて、１０−１０Ｍより大きく、必要に応じて１０−１２Ｍより大きい、請求項１１に記載の抗−Ｆｌｔ−１抗体又はその抗原結合フラグメント。
【請求項１３】
前記抗−Ｆｌｔ−１抗体又はその抗原結合フラグメントが、競合アッセイにおいて、ヒトＦｌｔ−１に対するＶＥＧＦ及び／又はＰＬＧＦの結合阻害に対し、１００ｐＭ未満、必要に応じて１０ｐＭ未満または１ｐＭ未満のＩＣ５０で更に特徴づけられる、請求項１１または１２に記載の抗−Ｆｌｔ−１抗体又はその抗原結合フラグメント。
【請求項１４】
前記抗−Ｆｌｔ−１抗体又はその抗原結合フラグメントがＶＥＧＦＲ２及び／又はＶＥＧＦＲ３と結合せず、必要に応じて、前記抗体又はフラグメントが（ｉ）マウス又はサルのＦｌｔ−１と結合しないか、または（ｉｉ）マウス及び／又はサルのＦｌｔ−１と結合する、請求項１１〜１３のいずれか１項に記載の抗−Ｆｌｔ−１抗体又はその抗原結合フラグメント。
【請求項１５】
請求項１１〜１４のいずれか１項に記載の抗−Ｆｌｔ−１抗体又はその抗原結合フラグメントと、薬学的に許容される担体とを含む医薬組成物。
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
組成物を生産するために、アルブミンおよびアスパラギン酸−アラニンジケトピペラジン（ＤＡ−ＤＫＰ）を含む供給流を処理するための方法であって、前記方法は、
第１のアルブミンリーン流および第１のアルブミンリッチ流を生成するために、前記供給流を処理する工程であって、前記第１のアルブミンリーン流は、前記供給流中に存在するＤＡ−ＤＫＰの第１の部分を含み、前記第１のアルブミンリッチ流は、前記供給流中に存在するＤＡ−ＤＫＰの第２の部分を含む、工程、
ＤＡ−ＤＫＰを生成してアルブミンおよびＤＡ−ＤＫＰを含む反応物流を得るために、前記第１のアルブミンリッチ流を反応させる工程、および
第２のアルブミンリーン流および第２のアルブミンリッチ流を生成するために、前記反応物流を処理する工程であって、前記第２のアルブミンリーン流は、前記反応物流中に存在するＤＡ−ＤＫＰの一部を含み、前記第２のアルブミンリッチ流は、前記反応物流中に存在するＤＡ−ＤＫＰの第２の部分を含む、工程、を含む、方法。
【請求項２】
前記供給流および前記反応物流の少なくとも一方の処理が、濾過、クロマトグラフィー、沈殿、抽出、およびそれらの組合せの少なくとも１つを含む、請求項１に記載の方法。
【請求項３】
前記供給流および前記反応物流の少なくとも一方の処理が濾過を含み、前記濾過が、タンジェンシャルフローフィルトレーションを含む、請求項２に記載の方法。
【請求項４】
反応が、熱処理、化学反応、酵素反応、およびそれらの組合せの少なくとも１つを含む、請求項１に記載の方法。
【請求項５】
反応が、前記第１のアルブミンリッチ流を、４０℃〜８０℃の範囲である平均内部温度に加熱することを含む、請求項４に記載の方法。
【請求項６】
反応が、前記第１のアルブミンリッチ流を、少なくともジペプチジルペプチダーゼＩＶと酵素反応させることを含む、請求項４に記載の方法。
【請求項７】
反応が、前記第１のアルブミンリッチ流を、ジペプチジルペプチダーゼＩＶの存在下で、４０℃〜８０℃の範囲である平均内部温度に加熱することを含む、請求項１に記載の方法。
【請求項８】
前記供給流が、アセチルトリプトファンナトリウム、Ｎ−アセチルトリプトファン、カプリル酸ナトリウム、カプリル酸およびそれらの組合せからなる群から選択される少なくとも１つの追加の成分を含む、請求項１に記載の方法。
【請求項９】
前記第１のアルブミンリッチ流が、前記供給流中のアルブミンの少なくとも９０重量％を含む、請求項１に記載の方法。
【請求項１０】
前記第２のアルブミンリッチ流が、前記反応物流中のアルブミンの少なくとも９０重量％を含む、請求項１に記載の方法。
【請求項１１】
前記第１のアルブミンリーン流中に存在するＤＡ−ＤＫＰの前記第１の部分が、前記供給流中に存在するＤＡ−ＤＫＰの少なくとも８０重量％を含む、請求項１に記載の方法。
【請求項１２】
前記供給流、前記反応物流または両方を希釈することをさらに含む、請求項１に記載の方法であって、希釈が、生理食塩水、乳酸加リンゲル液、酢酸リンゲル液、ヒドロキシエチルデンプン溶液およびデキストロース溶液からなる群から選択される少なくとも１種の希釈液を用いる、方法。
【請求項１３】
ＤＡ−ＤＫＰを１００μＭを上回る濃度で含む、組成物。
【請求項１４】
ＤＡ−ＤＫＰを含有する組成物を作製する方法であって、前記方法は、
血漿を濾過する前に、
ａ）未濾過血漿と、その血漿中のタンパク質からＮ末端ジペプチドを切断する酵素との接触、および
ｂ）ＤＡ−ＤＫＰ、またはその生理学上許容される塩を形成させるのに有効な条件下での前記血漿の加熱
を実施することを含む、方法。
【請求項１５】
ＤＡ−ＤＫＰを含有する組成物を作製する方法であって、前記方法は、
ａ）アルブミン含有溶液を、アルブミンから１対のＮ末端アミノ酸を切断する酵素と接触させる工程、および
ｂ）ＤＡ−ＤＫＰ、またはその生理学上許容される塩を形成させるのに有効な条件下で前記アルブミン含有溶液を加熱する工程
を含む、方法。
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
ガラスセラミックにおいて、  
ケイ酸リチウム結晶化成分及びケイ酸リチウムアルミニウム結晶化成分；並びに
ナトリウム及びカリウムのうちの少なくとも一方を含むアルカリアルミノケイ酸ガラスを含む残部のガラス成分；
を含み、
前記ガラスセラミックは、ＳｉＯ２‐Ａｌ２Ｏ３‐Ｌｉ２Ｏ系中のβスポジュメン‐二ケイ酸リチウム‐トリジマイトの三元共晶、及びＳｉＯ２‐Ａｌ２Ｏ３‐Ｋ２Ｏ系中の正長石‐トリジマイトの二元共晶によって画定される領域内にある組成を有し、前記三元共晶及び前記二元共晶は１０００℃未満の温度で発生し、および該ガラスセラミックは、７２質量％〜８５質量％のＳｉＯ２、７質量％〜１１質量％のＡｌ２Ｏ３、４．３質量％〜６．５質量％のＬｉ２Ｏ及び４質量％〜９質量％のＫ２Ｏを含む、ガラスセラミック。
【請求項２】
Ｎａ２Ｏは、モル基準で前記ガラスセラミック中のＫ２Ｏの最高７５％を置換する、請求項１記載のガラスセラミック。
【請求項３】
最高５質量％のＢａＯを更に含み、
ＢａＯは前記ガラスセラミック中のＫ２Ｏの最高３．２質量％を置換する、請求項１又は２記載のガラスセラミック。
【請求項４】
最高３．０質量％のＺｎＯを更に含み、
ＺｎＯはＡｌ２Ｏ３の最高３．８質量％を置換する、請求項１〜３いずれか１項記載のガラスセラミック。
【請求項５】
０．１質量％〜５．０質量％のＰ２Ｏ５を更に含む、請求項１〜４いずれか１項記載のガラスセラミック。
【請求項６】
０．０００１質量％〜０．１質量％の少なくとも１つの貴金属、並びに０．００５質量％〜０．５質量％のＣｅＯ２、０．００５質量％〜０．５質量％のＳｎＯ２及び０．００５質量％〜０．５質量％のＳｂ２Ｏ３のうちの少なくとも１つを更に含む、請求項１〜５いずれか１項記載のガラスセラミック。
【請求項７】
少なくとも１００ｋｐｏｉｓｅ（１０ｋＰａ・ｓ）の液相線粘度を有するガラスから形成される、請求項１〜６いずれか１項記載のガラスセラミック。
【請求項８】
前記残部のガラス成分は、石英・長石含有組成を有し、前記ガラスセラミックの少なくとも２０質量％を構成する、請求項１〜７いずれか１項記載のガラスセラミック。
【請求項９】
前記ケイ酸リチウムアルミニウム結晶化成分は、ベータスポジュメン結晶構造又はベータ石英結晶構造を有する、請求項１〜８いずれか１項記載のガラスセラミック。
【請求項１０】
ガラスセラミックを作製する方法において、
ａ．ガラスをスロットドロー加工又はフュージョンドロー加工するステップであって、前記ガラスは、７２質量％〜８５質量％のＳｉＯ２、７質量％〜１１質量％のＡｌ２Ｏ３、４．３質量％〜６．５質量％のＬｉ２Ｏ及び４質量％〜９質量％のＫ２Ｏを含み、かつ少なくとも１００ｋＰ（１０ｋＰａ・ｓ）の液相線粘度を有する、ステップ；並びに
ｂ．前記ガラスを、６００℃〜９００℃の範囲の温度において加熱して、ガラスセラミックを形成するステップであって、前記ガラスセラミックの形成は、ケイ酸リチウム成分及びアルミノケイ酸リチウム成分を結晶化させることを含み、前記ガラスセラミックは、ナトリウム及びカリウムのうちの少なくとも一方を含むアルカリアルミノケイ酸ガラスを含む残部のガラス成分を有する、ステップ
を含む、方法。
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
ポリリン酸ナトリウム、ポリリン酸カルシウム、ポリリン酸マグネシウム、ポリリン酸アンモニウム、ポリリン酸アルミニウム、ポリリン酸マンガン、ポリリン酸リチウム、およびこれらの組み合わせからなる群から選択される、少なくとも１つのセメント遅延剤と、
塩化カルシウム、塩化カリウム、亜硝酸ナトリウム、亜硝酸カルシウム、硫酸カルシウム、硫酸ナトリウム、アルミナ、チオシアン酸ナトリウム、チオシアン酸カルシウム、水酸化ナトリウム、水酸化カリウム、炭酸カルシウム、炭酸ナトリウム、炭酸リチウム、水ガラス、水酸化アルミニウム、ジエタノールアミン、トリエタノールアミン、ギ酸カルシウム、酢酸カルシウム、マレイン酸無水物、およびこれらの組み合わせからなる群から選択される、少なくとも１つの促進剤と、
を含む開放時間が延長された水硬性組成物。
【請求項２】
前記促進剤がチオシアン酸ナトリウムである、請求項１に記載の水硬性組成物。
【請求項３】
セルロースエーテルをさらに含む請求項１または２に記載の水硬性組成物。
【請求項４】
前記セルロースエーテルがアルキルセルロース、ヒドロキシアルキルセルロース、アルキルヒドロキシアルキルセルロース、およびこれらの組み合わせからなる群から選択される、請求項３に記載の水硬性組成物。
【請求項５】
ポリリン酸ナトリウム、ポリリン酸カルシウム、ポリリン酸マグネシウム、ポリリン酸アンモニウム、ポリリン酸アルミニウム、ポリリン酸マンガン、ポリリン酸リチウム、およびこれらの組み合わせからなる群から選択される、少なくとも１つのセメント遅延剤と、
塩化カルシウム、塩化カリウム、亜硝酸ナトリウム、亜硝酸カルシウム、硫酸カルシウム、硫酸ナトリウム、アルミナ、チオシアン酸ナトリウム、チオシアン酸カルシウム、水酸化ナトリウム、水酸化カリウム、炭酸カルシウム、炭酸ナトリウム、炭酸リチウム、水ガラス、水酸化アルミニウム、ジエタノールアミン、トリエタノールアミン、ギ酸カルシウム、酢酸カルシウム、マレイン酸無水物、およびこれらの組み合わせからなる群から選択される、少なくとも１つの促進剤と、
を含むドライセメントモルタル。
【請求項６】
前記セメント遅延剤がドライセメントモルタルの総重量に対して約０．００１〜約０．５重量％の範囲内である、請求項５に記載のドライセメントモルタル。
【請求項７】
前記セメント遅延剤がドライセメントモルタルの総重量に対して約０．００５〜約０．３重量％の範囲内である、請求項６に記載のドライセメントモルタル。
【請求項８】
前記セメント遅延剤がドライセメントモルタルの総重量に対して約０．０１〜約０．０５重量％の範囲内である、請求項７に記載のドライセメントモルタル。
【請求項９】
前記促進剤がドライセメントモルタルの総重量に対して約０．０１〜約１重量％の範囲内である、請求項５に記載のドライセメントモルタル。
【請求項１０】
前記促進剤がドライセメントモルタルの総重量に対して約０．０５〜約０．５重量％の範囲内である、請求項９に記載のドライセメントモルタル。
【請求項１１】
前記促進剤がドライセメントモルタルの総重量に対して約０．１〜約０．３重量％の範囲内である、請求項１０に記載のドライセメントモルタル。
【請求項１２】
請求項１〜４のいずれか１項に記載の水硬性組成物、セメントおよび任意の成分を混合するステップ、ならびに
加工に必要な量の水を硬化性モルタルに添加混合するステップ
を含むセメント系タイル接着剤の製造方法。
【手続補正書】
【提出日】平成29年1月4日(2017.1.4)
【手続補正１】
【補正対象書類名】特許請求の範囲
【補正対象項目名】全文
【補正方法】変更
【補正の内容】
【特許請求の範囲】
【請求項１】
対象における結合組織へ活性薬剤を送達する方法であって、
１０ｎｍより大きい平均粒子サイズを有するマイクロ粒子を対象に投与することを含み、マイクロ粒子が、結合組織に結合する化合物により官能化され、第１の活性薬剤を含み、第１の活性薬剤が、マイクロ粒子から放出されるときに結合組織へ送達される、前記方法。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
内燃機関エンジンのためのオンデマンドの酸水素燃料システムであって、該オンデマンドの酸水素燃料システムが、
オンデマンドの酸水素発生装置を含み、該オンデマンドの酸水素発生装置が、電解質溶液を含有している液だめ、正端子、負端子、および液だめの内部と流体連通しているガス出口を有する、液だめ上の開口部を密封するためのキャップ、およびキャップに付けられており、電解質溶液に少なくとも部分的に沈められるように、液だめの内部に伸張している、対の電極プレートであって、対の電極プレートの１つが、正端子に電気的に連結され、対の電極プレートのもう１つが、負端子に電気的に連結されている、対の電極プレート、を含み、
ここで、酸水素発生装置上のガス出口が、電解質溶液の電気分解によって生成された酸水素を放出し、内燃機関エンジン上のクランクケースから内燃機関エンジン上の吸気マニホルドまでのブローバイガスを再利用するための汚染制御システムに流体連結され、該オンデマンドの酸水素燃料システムがさらに、
酸水素の需要に応じて酸水素発生装置を選択的に起動するための、酸水素発生装置に動作可能に接続されたマイクロコントローラーを含むことを特徴とする、オンデマンドの酸水素燃料システム。
【請求項２】
汚染制御システムが、クランクケースからの通気管路および吸気マニホルドへのブローバイ戻り管路と並んだ、ＰＣＶバルブを含むことを特徴とする、請求項１に記載のオンデマンドの酸水素燃料システム。
【請求項３】
内燃機関エンジンのためのオンデマンドの酸水素燃料システムであって、該オンデマンドの酸水素燃料システムが、
オンデマンドの酸水素発生装置を含み、該オンデマンドの酸水素発生装置が、電解質溶液を含有している液だめ、正端子、負端子、および液だめの内部と流体連通しているガス出口を有する、液だめ上の開口部を密封するためのキャップ、およびキャップに付けられており、電解質溶液に少なくとも部分的に沈められるように、液だめの内部に伸張している、対の電極プレートであって、対の電極プレートの１つが、正端子に電気的に連結され、対の電極プレートのもう１つが、負端子に電気的に連結されている、対の電極プレート、を含み、該オンデマンドの酸水素燃料システムがさらに、
内燃機関エンジン上のクランクケースからの通気管路および内燃機関エンジン上の吸気マニホルドへのブローバイ戻り管路と並んだＰＣＶバルブを含む、汚染制御システムを含み、
ここで、酸水素発生装置上のガス出口が、電解質溶液の電気分解によって生成された酸水素を放出し、汚染制御システムに流体連結され、該オンデマンドの酸水素燃料システムがさらに、
酸水素の需要に応じて酸水素発生装置を選択的に起動するための、酸水素発生装置に動作可能に接続されたマイクロコントローラーを含むことを特徴とする、オンデマンドの酸水素燃料システム。
【請求項４】
ガス出口が、クランクケースからの通気管路、吸気マニホルドへの戻り管路、またはＰＣＶバルブに連結されることを特徴とする、請求項２または３に記載のオンデマンドの酸水素燃料システム。
【請求項５】
マイクロコントローラーが、ＰＣＶバルブを通るブローバイガスの流量を調節するために、ＰＣＶバルブに動作可能に接続されることを特徴とする、請求項２または３に記載のオンデマンドの酸水素燃料システム。
【請求項６】
酸水素発生装置の正端子および負端子が、エンジンの動力源に電気的に接続されることを特徴とする、請求項１または３に記載のオンデマンドの酸水素燃料システム。
【請求項７】
動力源が、バッテリーまたは交流発電機を含むことを特徴とする、請求項６に記載のオンデマンドの酸水素燃料システム。
【請求項８】
対の電極プレートの各々が、一連の金属プレートを含むことを特徴とする、請求項１または３に記載のオンデマンドの酸水素燃料システム。
【請求項９】
一連の金属プレートが、亜鉛、カドミウム、金、白金、およびパラジウムから成る群から選択される金属から作られていることを特徴とする、請求項８に記載のオンデマンドの酸水素燃料システム。
【請求項１０】
一連の金属プレートが、水の電解反応において触媒を含むことを特徴とする、請求項８に記載のオンデマンドの酸水素燃料システム。
【請求項１１】
電解質溶液が、電解質塩と混合された水を含むことを特徴とする、請求項１または３に記載のオンデマンドの酸水素燃料システム。
【請求項１２】
塩が、硝酸カリウムまたは炭酸水素ナトリウムを含むことを特徴とする請求項１１に記載のオンデマンドの酸水素燃料システム。
【請求項１３】
液だめに流体連結された、追加の電解質溶液を含有している第２液だめをさらに含むことを特徴とする、請求項１または３に記載のオンデマンドの酸水素燃料システム。
【請求項１４】
液だめ中の電解質溶液のレベルを検知するように構成されたセンサーをさらに含むことを特徴とする、請求項１または３に記載のオンデマンドの酸水素燃料システム。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
喫煙用具を含むパケット（１）又はカートンと、前記パケット（１）又はカートンの周囲に巻き付けられ外ラッパー（３）を形成する包装材シート（２）と、ユーザによって摘むことができ前記パケット（１）から前記外ラッパー（３）を少なくとも部分的に分離するよう設計された、プルタブ（８）を備えた引き裂き要素（５）とを有した、喫煙用具、特にタバコのためのパッケージにおいて、
前記引き裂き要素（５）は、前記プルタブ（８）を省いて前記外ラッパー（３）に結合されたラベル（６）であり、前記ラベル（６）は前記包装材シート（２）の一部分に貼り付けられ、包装材シート（２）の長さと幅の一部分にわたって延び、
前記包装材シート（２）には、前記プルタブ（８）の近傍で収斂すると共に、ユーザによって前記ラベル（６）が摘んで引っ張られた際に前記ラッパー（３）を引き裂くための少なくとも１つの破断開始点を形成するように設計された、少なくとも１つの切開部（１１）が設けられることを特徴とするパッケージ。
【請求項２】
前記切開部（１１）は前記ラベル（６）によって覆われることを特徴とする請求項１に記載のパッケージ。
【請求項３】
前記ラッパー（３）は複数の壁によって形成され、前記ラベル（６）はラッパー（３）の１つだけの壁（Ｆ）に付着していることを特徴とする請求項１又は２に記載のパッケージ。
【請求項４】
前記ラッパー（３）は複数の壁によって形成され、前記ラベル（６）は連続したラッパー（３）の２つだけの壁に付着していることを特徴とする請求項１又は２に記載のパッケージ。
【請求項５】
前記ラッパー（３）は複数の壁によって形成され、前記ラベル（６）は組になって連続したラッパー（３）の３つだけの壁（Ｆ，Ｌ）に付着していることを特徴とする請求項１又は２に記載のパッケージ。
【請求項６】
前記ラベル（６）は接着剤によって前記ラッパー（３）に接合され、ラベル（６）は粘着ラベルであることを特徴とする請求項１〜５のいずれか一項に記載のパッケージ。
【請求項７】
前記ラベル（６）はヒートシールによって前記ラッパー（３）に接合されていることを特徴とする請求項１〜５のいずれか一項に記載のパッケージ。
【請求項８】
前記ラベル（６）は喫煙用具のパッケージに接触した状態で前記ラッパー（３）の内側面に接合されていることを特徴とする請求項１〜７のいずれか一項に記載のパッケージ。
【請求項９】
前記ラベル（６）は前記ラッパー（３）の外側面に接合されていること特徴とする請求項１〜７のいずれか一項に記載のパッケージ。
【請求項１０】
前記切開部（１１）は貫通スリットによって形成されることを特徴とする請求項１〜９のいずれか一項に記載のパッケージ。
【請求項１１】
前記ラベル（６）は，２組の端部において互いに対して結合された２つの略円弧状対向端縁部によって境界が定められていることを特徴とする請求項１〜１０のいずれか一項に記載のパッケージ。
【請求項１２】
前記ラベル（６）は多角形の形状であることを特徴とする請求項１〜１０のいずれか一項に記載のパッケージ。
【請求項１３】
前記ラベル（６）は実質的に三角形の形状であり、前記プルタブ（８）はその三角形の頂点から延びていることを特徴とする請求項１２に記載のパッケージ。
【請求項１４】
前記ラベル（６）は、ラベル（６）を引き裂く方向に対して横断する方向に沿って、前記ラッパー（３）の大きな壁の端縁部から端縁部へと実質的に延びることを特徴とする請求項１〜１３のいずれか一項に記載のパッケージ。
【請求項１５】
請求項１〜１４に記載の、喫煙用具、特にタバコのためのパッケージを製造する方法において、
前記方法は、少なくとも、
第１のロール（１３）からラベル貼り装置（１５）へと、連続した複数ラベル（６）を支持するウェブ（７）を供給する工程と、
第２のロール（１４）から包装材のウェブ（４）を供給し、それより複数の包装材シート（２）を獲得する工程と、
前記ウェブ（７）から、各々が引き裂き要素（５）を定めるようなラベル（６）を分離する工程と、
ラベル貼り装置（１５）を用いて包装材ウェブ（４）に対して、連続的かつ等間隔的にラベル（６）を、前記包装材シート（２）の長さの一部分と幅の一部分とにわたって延びるウェブ（４）領域に貼り付ける工程と、
ラベル（６）を備えた前記包装材ウェブ（４）を切断することで、各引き裂き要素（５）を備えると共に喫煙用具の各パケット（１）又はカートンの周りに巻き付けられるように設計された一連の包装材シート（２）を獲得する工程と、
前記包装材シート（２）を包装装置（１８）へと供給する工程と、
前記包装装置（１８）に、未包装の喫煙用具パケット（１）又はカートンを供給する工程と、
包装装置（１８）を用いて各喫煙用具パケット（１）又はカートンの周りに包装材シート（２）を巻き付ける工程とを有することを特徴とするパッケージ製造方法。
【請求項１６】
請求項１〜１４に記載の、喫煙用具、特にタバコのためのパッケージを製造する方法において、
前記方法は、少なくとも、
第１のロールから粘着性ウェブ又は部分粘着性を供給し、それから複数のラベル（６）を獲得する工程と、
第２のロール（１４）から包装材のウェブ（４）を供給し、それより複数の包装材シート（２）を獲得する工程と、
前記粘着性ウェブ又は部分粘着性ウェブを切断して、各々が引き裂き要素（５）を定めるようなラベル（６）を獲得する工程と、
包装材ウェブ（４）に対して、連続的かつ等間隔的にラベル（６）を、前記包装材シート（２）の長さの一部分と幅の一部分とにわたって延びるウェブ（４）の領域に貼り付ける工程と、
ラベル（６）を備えた前記包装材ウェブ（４）を切断することで、各引き裂き要素（５）を備えると共に喫煙用具の各パケット（１）又はカートンの周りに巻き付けられるように設計された一連の包装材シート（２）を獲得する工程と、
前記包装材シート（２）を包装装置（１８）へと供給する工程と、
前記包装装置（１８）に、未包装の喫煙用具パケット（１）又はカートンを供給する工程と、
包装装置（１８）を用いて各喫煙用具パケット（１）又はカートンの周りに包装材シート（２）を巻き付ける工程とを有することを特徴とするパッケージ製造方法。
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
癌においてNAALADL2が発現される該癌の治療又は予防のための医薬組成物であって、NAALADL2に結合する親和性試薬を含む、前記医薬組成物。
【請求項２】
前立腺癌、膀胱癌、乳癌、食道癌、頭頸部癌、結腸直腸癌、肝臓癌、肺癌、卵巣癌、胃癌、子宮癌及び膵臓癌からなる群から選択される癌の治療又は予防のための、請求項1記載の医薬組成物。
【請求項３】
前記親和性試薬が、NAALADL2に特異的に結合する、請求項1又は2記載の医薬組成物。
【請求項４】
前記親和性試薬が、抗体若しくはその機能的断片又は抗体模倣体である、請求項1〜3のいずれか一項記載の医薬組成物。
【請求項５】
前記親和性試薬が、モノクローナル抗体又はその抗原-結合断片である、請求項4記載の医薬組成物。
【請求項６】
前記親和性試薬が、キメラ抗体、ヒト抗体、ヒト化抗体、単鎖抗体、脱フコシル化抗体又は二重特異性抗体(好ましくはBiTE)である、請求項4又は5記載の医薬組成物。
【請求項７】
(a)前記機能的抗体断片が、ユニボディ、ドメイン抗体若しくはナノボディであるか；又は
(b)前記抗体模倣体が、アフィボディ、DARPin、アンチカリン、アビマー、バーサボディ若しくはデュオカリンである、請求項4記載の医薬組成物。
【請求項８】
前立腺癌においてNAALADL2が発現される該前立腺癌の治療又は予防のための医薬組成物であって、NAALADL2及びCD3に結合する二重特異性抗体を含む、前記医薬組成物。
【請求項９】
前記親和性試薬が、治療的部分を含むか又はこれに複合されている、請求項1〜7のいずれか一項記載の医薬組成物。
【請求項１０】
前記治療的部分が、細胞傷害性部分又は放射性同位体である、請求項9記載の医薬組成物。
【請求項１１】
前記親和性試薬が、抗体薬物複合体である、請求項9又は10記載の医薬組成物。
【請求項１２】
前記親和性試薬が、抗体依存性細胞傷害(ADCC)を誘発する、請求項1〜8のいずれか一項記載の医薬組成物。
【請求項１３】
前記親和性試薬が、補体依存性細胞傷害(CDC)を誘発する、請求項1〜8のいずれか一項記載の医薬組成物。
【請求項１４】
前記親和性試薬が、T細胞傷害を誘発する、請求項1〜8のいずれか一項記載の医薬組成物。
【請求項１５】
前記親和性試薬が、癌細胞のアポトーシスを誘導し、癌幹細胞を死滅させるか若しくはその数を低減させ、及び／又は循環癌細胞を死滅させるか又はその数を低減させる、請求項1〜8のいずれか一項記載の医薬組成物。
【請求項１６】
癌においてNAALADL2が発現される該癌を検出、診断及び／若しくはスクリーニングするインビトロの方法、又は、癌においてNAALADL2が発現される該癌の進行をモニタリングするインビトロの方法、又は、癌においてNAALADL2が発現される該癌の薬物若しくは治療の効果をモニタリングするインビトロの方法であって、対象から得られた生体試料における、NAALADL2若しくはその1以上の断片の存在若しくはレベル、又は、NAALADL2をコードする核酸の存在若しくはレベルを検出することを含むか、又は、そのレベルの変化を検出することを含む、前記インビトロの方法。
【請求項１７】
前記NAALADL2若しくはその1以上の断片の存在、又はNAALADL2をコードする核酸の存在を検出することを含み、（a）健常対象から得られた生体試料におけるレベルと比較しての、対象から得られた生体試料における、NAALADL2若しくはその1以上の断片のレベルの上昇、若しくはNAALADL2をコードする核酸のレベルの上昇の存在、又は（b）健常対象から得られた生体試料における対応する検出不可能なレベルと比較しての、対象から得られた生体試料における、NAALADL2若しくはその1以上の断片の検出可能なレベル、若しくはNAALADL2をコードする核酸の検出可能なレベルの存在のいずれかが、該対象における、癌においてNAALADL2が発現される該癌の存在を示す、請求項16記載のインビトロの方法。
【請求項１８】
癌においてNAALADL2が発現される該癌を検出、診断及び／若しくはスクリーニングするインビトロの方法、又は、癌においてNAALADL2が発現される該癌の進行をモニタリングするインビトロの方法、又は、癌においてNAALADL2が発現される該癌の薬剤若しくは治療の効果をモニタリングするインビトロの方法であって、対象から得られた生体試料における、NAALADL2若しくはその1以上の断片に免疫特異的に結合できる抗体の存在又はレベルを検出することを含む、前記インビトロの方法。
【請求項１９】
前記NAALADL2若しくはその1以上の断片の存在、又はNAALADL2をコードする核酸の存在、又はNAALADL2若しくはその1以上の断片に免疫特異的に結合できる抗体の存在若しくはレベルが、前記対象から得られる生体試料の分析によって検出される、請求項16〜18のいずれか一項記載のインビトロの方法。
【請求項２０】
前記NAALADL2若しくはその1以上の断片の存在が、NAALADL2に結合する親和性試薬を使用して検出される、請求項16〜19のいずれか一項記載のインビトロの方法。
【請求項２１】
前記親和性試薬が、請求項3〜8のいずれか一項記載のものである、請求項20記載のインビトロの方法。
【請求項２２】
前記親和性試薬が、検出可能な標識を含むか又はこれに複合されている、請求項20又は21記載のインビトロの方法。
【請求項２３】
前記癌が、前立腺癌、膀胱癌、乳癌、食道癌、頭頸部癌、結腸直腸癌、肝臓癌、肺癌、卵巣癌、胃癌、子宮癌及び膵臓癌からなる群から選択される、請求項16〜22のいずれか一項記載のインビトロの方法。
【請求項２４】
前記対象がヒトである、請求項16〜23のいずれか一項記載のインビトロの方法。
【請求項２５】
癌においてNAALADL2が発現される該癌の治療又は予防のための物質を同定する方法であって、(a)候補物質を、NAALADL2又はその1以上の断片と接触させること；並びに、(b)該物質が、NAALADL2又はその1以上の断片に結合するか否かを判断することを含む、前記方法。
【請求項２６】
前記NAALADL2又はその1以上の断片に結合する物質の、癌においてNAALADL2が発現される該癌を阻害する能力を試験する工程を更に含む、請求項25記載の方法。
【請求項２７】
前記親和性試薬が、NAALADL2の生理的機能を調節し、NAALADL2へのリガンド結合を阻害し、及び／又はNAALADL2によって媒介されたシグナル伝達経路を阻害する、請求項25又は26記載の方法。
【請求項２８】
前記癌が、前立腺癌、膀胱癌、乳癌、食道癌、頭頸部癌、結腸直腸癌、肝臓癌、肺癌、卵巣癌、胃癌、子宮癌及び膵臓癌からなる群から選択される、請求項25〜27のいずれか一項記載の方法。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
２ｐｐｍ〜５０ｐｐｍの１種以上のアゾール化合物、腐食を抑制する有効量の１種以上の遷移金属、および腐食を抑制する有効量の１種以上の分散剤を含む水処理用組成物であって、リンを含まないことを特徴とする水処理用組成物。
【請求項２】
請求項１に記載の水処理用組成物であって、前記１種以上の分散剤が、２ｐｐｍ〜５０ｐｐｍの範囲の量で存在することを特徴とする水処理用組成物。
【請求項３】
請求項１に記載の水処理用組成物であって、前記１種以上のアゾール化合物が、３ｐｐｍ〜２０ｐｐｍの範囲の量で存在することを特徴とする水処理用組成物。
【請求項４】
請求項１〜３のいずれか１項に記載の水処理用組成物であって、前記１種以上の遷移金属が、２ｐｐｍ〜４ｐｐｍの範囲の量で存在することを特徴とする水処理用組成物。
【請求項５】
請求項１に記載の水処理用組成物であって、前記１種以上の遷移金属が、亜鉛を含むことを特徴とする水処理用組成物。
【請求項６】
請求項１に記載の水処理用組成物であって、前記１種以上のアゾール化合物が、トリルトリアゾール（tolytriazole）、およびトリルトリアゾールとブチルベンゾトリアゾールの混合物からなる群から選択されることを特徴とする水処理用組成物。
【請求項７】
請求項１に記載の水処理用組成物であって、前記１種以上の分散剤が、ポリマー、コポリマー、またはターポリマーを含み、前記ポリマー、コポリマー、またはターポリマーが、アクリル酸、マレイン酸、ポリマレイン酸、およびスルホン化モノマーからなる群から選択される一員を含むことを特徴とする水処理用組成物。
【請求項８】
請求項１に記載の水処理用組成物であって、前記１種以上の分散剤が、３ｐｐｍの量のアクリル酸および２−アクリルアミド−２−メチルプロパンスルホン酸を含むコポリマーを含み、前記１種以上の遷移金属が、２ｐｐｍ〜４ｐｐｍの範囲の量の亜鉛を含み、前記１種以上のアゾール化合物が、４ｐｐｍの量のトリルトリアゾールを含むことを特徴とする水処理用組成物。
【請求項９】
水性システムにおける表面の腐食または汚染を軽減する方法であって、
（ａ）水性媒体を少なくとも１つの金属表面を有する筐体に導入するステップと、
（ｂ）有効量の１種以上のアゾール化合物、有効量の１種以上の遷移金属、および有効量の１種以上の分散剤を含み、リンを含まない水処理用組成物を、前記水性媒体に注入するステップと、
を含み、
（ｃ）監視および制御ユニット、ならびに１つ以上の化学物質注入ポンプを含むオンライン式自動化法であることを特徴とする方法。
【請求項１０】
請求項９に記載の方法であって、ステップ（ａ）の前に、少なくとも１つの金属表面を、有効量の１種以上のアゾール化合物、有効量の１種以上の遷移金属、および有効量の１種以上の分散剤を含み、リンを含まない水処理用組成物で前処理するステップをさらに含むことを特徴とする方法。
【請求項１１】
請求項９に記載の方法であって、前記少なくとも１つの金属表面が、銅または銅合金を含むことを特徴とする方法。
【請求項１２】
請求項９に記載の方法であって、１種以上のアゾール化合物の前記有効量が、２ｐｐｍ〜２０ｐｐｍであり、１種以上の遷移金属の前記有効量が、２ｐｐｍ〜４ｐｐｍであり、１種以上の分散剤の前記有効量が、２ｐｐｍ〜２０ｐｐｍであることを特徴とする方法。
【請求項１３】
水の１つ以上の特性を監視および制御する方法であって、
（ａ）水を保存デバイスに導入するステップと、
（ｂ）保存デバイスから、水の試料を監視および制御ユニットにポンプで注入するステップであって、監視および制御ユニットは制御装置、および制御装置と連通している複数のセンサーを含み、複数のセンサーのそれぞれが水の特性を測定するように操作可能であり、
１つ以上のポンプは制御装置と連通しており、１つ以上のポンプは１つ以上の化学物質注入ポンプを含み、送出導管は水と連通している第１の端部、ならびに監視および制御ユニットの注入口に接続されている第２の端部を有する、ステップと、
（ｃ）測定される水の１つ以上の特性のそれぞれに対する許容範囲を、制御装置に入力するステップと、
（ｄ）水の試料の１つ以上の特性を、複数のセンサーで測定するステップと、
（ｅ）リンを実質的に含まない水処理用組成物を、化学物質注入ポンプで水に添加するステップと、
（ｆ）生産水の試料の測定された１つ以上の特性が、ステップ（ｃ）で制御装置に入力された許容範囲内にあるかどうかを決定するステップと、
（ｇ）測定された１つ以上の特性が、ステップ（ｃ）で入力されたその特性に関連する許容範囲外にある場合には、１つ以上の化学物質注入ポンプから水への化学物質の流入を変化させるステップであり、化学物質が、水に関連して測定された特性を許容範囲内に入るように調節することができるステップと、
（ｈ）任意選択により、ステップ（ａ）〜（ｆ）を反復して、１つ以上の特性がステップ（ｃ）で入力された許容範囲内に入ったかどうかを決定するステップと
を含むことを特徴とする方法。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
少なくとも２種の金属カルベンオレフィンメタセシス触媒を含むオレフィンメタセシス触媒組成物と、少なくとも１種の環状オレフィンを含む樹脂組成物とを含む、ＲＯＭＰ組成物であって、少なくとも２種の金属カルベンオレフィンメタセシス触媒の少なくとも１種が式（Ｖ）によって表される、ＲＯＭＰ組成物。
2016511789.tif 000001
［式中、
Ｑは、構造−ＣＲ１１Ｒ１２−ＣＲ１３Ｒ１４−又は−ＣＲ１１＝ＣＲ１３−、を有する２つの原子による連結であり；
Ｒ１１、Ｒ１２、Ｒ１３及びＲ１４は、水素、ヒドロカルビル、置換ヒドロカルビル、ヘテロ原子含有ヒドロカルビル、置換ヘテロ原子含有ヒドロカルビルから独立に選択され；
Ｒ３及びＲ４は同じであり、それぞれ、非置換フェニルであり、又はＣ１〜Ｃ２０アルキル、置換Ｃ１〜Ｃ２０アルキル、Ｃ１〜Ｃ２０ヘテロアルキル、置換Ｃ１〜Ｃ２０ヘテロアルキル、Ｃ５〜Ｃ２４アリール、置換Ｃ５〜Ｃ２４アリール、Ｃ５〜Ｃ２４ヘテロアリール、Ｃ６〜Ｃ２４アラルキル、Ｃ６〜Ｃ２４アルカリール若しくはハロゲン化物から選択される３つまでの置換基で置換されているフェニルであり；
Ｌ２及びＬ３は、中性電子供与体配位子であり；
ｎは、０又は１であり；
ｋは、０又は１であり、
Ｘ１及びＸ２は、アニオン性配位子であり；及び
Ｒ１は水素であり、Ｒ２は、Ｃ１〜Ｃ２０アルキル、Ｃ２〜Ｃ２０アルケニル及びＣ５〜Ｃ２４アリールから選択され；あるいはＲ１及びＲ２は、一緒になって、Ｒ１及びＲ２は、一緒になって、インデニリデン部分を形成することができる。］
【請求項２】
少なくとも１種の外因性阻害剤をさらに含む、請求項１に記載のＲＯＭＰ組成物。
【請求項３】
少なくとも１種の接着促進剤をさらに含む、請求項１に記載のＲＯＭＰ組成物。
【請求項４】
ＲＯＭＰ組成物を重合する条件に請求項１に記載のＲＯＭＰ組成物を曝すことを含む、物品を製造する方法。
【請求項５】
ＲＯＭＰ組成物が、外因性阻害剤をさらに含む、請求項４に記載の物品を製造する方法。
【請求項６】
ＲＯＭＰ組成物が、少なくとも１種の基材材料をさらに含む、請求項５に記載の物品を製造する方法。
【請求項７】
ＲＯＭＰ組成物が、少なくとも１種の接着促進剤をさらに含む、請求項６に記載の物品を製造する方法。
【請求項８】
少なくとも２種の金属カルベンオレフィンメタセシス触媒の少なくとも１種が式（ＶＩＩ）によって表される、請求項１に記載のＲＯＭＰ組成物。
2016511789.tif 000002
［式中、
Ｍは、第８族遷移金属Ｒｕ；
Ｌ１は、中性電子供与体配位子であり；
Ｘ１及びＸ２は、独立に、アニオン性配位子であり；
Ｙは、Ｏ又はＮであり；
ｎは、１であり；
Ｒ５、Ｒ６、Ｒ７及びＲ８は、それぞれ独立に、水素、ハロゲン、アルキル、アルケニル、アルキニル、アリール、ヘテロアルキル、ヘテロ原子含有アルケニル、ヘテロアルケニル、ヘテロアリール、アルコキシ、アルケニルオキシ、アリールオキシ、アルコキシカルボニル、カルボニル、アルキルアミノ、アルキルチオ、アミノスルホニル、モノアルキルアミノスルホニル、ジアルキルアミノスルホニル、アルキルスルホニル、ニトリル、ニトロ、アルキルスルフィニル、トリハロアルキル、ペルフルオロアルキル、カルボン酸、ケトン、アルデヒド、ナイトラート、シアノ、イソシアナート、ヒドロキシル、エステル、エーテル、アミン、イミン、アミド、ハロゲン置換アミド、トリフルオロアミド、スルフィド、ジスルフィド、スルホナート、シラン、シロキサン、ホスフィン、ホスファート、及びボラートからなる群から選択され；並びに
Ｚは、水素、アルキル、アリール、官能化アルキル、官能化アリールから選択される基であり、ここで官能基（単数又は複数）は、独立に、アルコキシ、アリールオキシ、ハロゲン、カルボン酸、ケトン、アルデヒド、ニトラート、シアノ、イソシアナート、ヒドロキシル、エステル、エーテル、アミン、イミン、アミド、トリフルオロアミド、スルフィド、ジスルフィド、カルバマート、シラン、シロキサン、ホスフィン、ホスファート、又はボラート；メチル、イソプロピル、ｓｅｃ−ブチル、ｔ−ブチル、ネオペンチル、ベンジル、フェニル及びトリメチルシリルの１つ又は複数であり得る。］
【請求項９】
請求項１に記載のＲＯＭＰ組成物であって、
［式中、
Ｌ１は、１，３−ビス（２，４，６−トリメチルフェニル）−２−イミダゾリジニリデン、１，３−ビス（２，４，６−トリメチルフェニル）イミダゾール−２−イリデン、１，３−ビス（２，６−ジ−イソプロピルフェニル）−２−イミダゾリジニリデン、及び１，３−ビス（２，６−ジ−イソプロピルフェニル）イミダゾール−２−イリデンからなる群から選択されるＮ−複素環式カルベンであり；
Ｘ１及びＸ２は、塩化物であり；
Ｙは、Ｏであり；
Ｒ５、Ｒ６、Ｒ７及びＲ８は、それぞれ水素であり；
ｎは、１であり；並びに
Ｚは、イソプロピルである。」である、ＲＯＭＰ組成物。
【請求項１０】
ＲＯＭＰ組成物を重合する条件に請求項９に記載のＲＯＭＰ組成物を曝すことを含む、製造品を製造する方法。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
プライマー組成物であって、
（ａ）Ｃ−Ｏ−Ｃ官能基およびＣ＝Ｃ官能基を含むアクリルモノマーと、
（ｂ）Ｃ−Ｏ−Ｃ官能基およびＣ＝Ｃ官能基を含むアクリルオリゴマーと、
を含み、
前記プライマー組成物はエネルギー硬化型であり、前記アクリルモノマーおよびアクリルオリゴマーの合計におけるＣ−Ｏ−Ｃ対Ｃ＝Ｃの官能基の計算比が１．６を超える、プライマー組成物。
【請求項２】
前記アクリルモノマーおよびアクリルオリゴマーの合計におけるＣ−Ｏ−Ｃ対Ｃ＝Ｃの官能基の計算比は１．８を超える、請求項１に記載のプライマー組成物。
【請求項３】
１５ｂｃｍアニロックスを備えたＴＭＩ  Ｆｌｅｘｉｐｒｏｏｆｅｒを使用してＬｅｎｅｔａ  Ｎ２Ａ−３チャート上に適用し、硬化すると、少なくとも３７ｍＮ／ｍの分散表面エネルギーを有し；２０度の角度で５５を超える光沢、および６０度の角度で８３を超える光沢を有する上面をもたらす、請求項１または２に記載のプライマー組成物。
【請求項４】
１５ｂｃｍアニロックスを備えたＴＭＩ  Ｆｌｅｘｉｐｒｏｏｆｅｒを使用してＬｅｎｅｔａ  Ｎ２Ａ−３チャート上に適用し、硬化し、次いで、ＳＣ１７６０４アセテート溶剤系の真空金属蒸着顔料銀色インキをＭｅｙｅｒ３番バーを用いて塗布して重ね刷りし、乾燥させると、少なくとも８０％の輝度指数を有する上面をもたらす、請求項１または２に記載のプライマー組成物。
【請求項５】
２５℃〜４５℃において１０秒−１で測定した場合、コーティング粘度に少なくとも５０％の低下が見られる、請求項１または２に記載のプライマー組成物。
【請求項６】
硬化すると、６０以上の総可視光反射率を示す、請求項１または２に記載のプライマー組成物。
【請求項７】
最高で３３ｍＮ／ｍまでの静的表面張力を有する、請求項１または２に記載のプライマー組成物。
【請求項８】
１５ｂｃｍから５ｂｃｍのアニロックスに変更した場合に、６０度で１０ポイント未満の光沢の低下、および２０度で２０ポイント未満の光沢の低下を示すか、あるいは、ＢＹＫ  Ｐｅｎｏｐａｃ２８１７チャートのコーティングされていない白色領域と比較して、前記チャートのコーティングされた白色領域において、１５ｂｃｍで２未満および１０ｂｃｍで４未満の６０度での光沢差を示す、請求項１または２に記載のプライマー組成物。
【請求項９】
４５℃で１７〜２５ｃＰｓの粘度を有する、請求項１または２に記載のプライマー組成物。
【請求項１０】
アクリルモノマーおよびアクリルオリゴマーの各々が、３００ｇ／モルを超える分子量を有する、請求項１に記載のプライマー組成物。
【請求項１１】
請求項１または２に記載のプライマー組成物が硬化した層を含む印刷物であって、任意に、パッケージに使用されるものであってよく、任意に、硬化したプライマー層の少なくとも一部に反射性金属インキが重ね刷りされていてよい、印刷物。
【請求項１２】
請求項１または２に記載のプライマー組成物を基材に塗布することを含む、エネルギー硬化型プライマー組成物を印刷する方法であって、前記印刷する方法は、任意に、フレキソまたはグラビアであってよい、方法。
【請求項１３】
鮮やかな金属コーティングされた紙材を形成させる方法であって、
（ａ）前記紙材の紙表面に請求項１に記載のプライマー組成物の層を塗布する工程と、
（ｂ）プライマーの前記層を硬化させてインキ受容界面層を生成させる工程と、
（ｃ）複数の反射性粒子を含む反射性金属インキを、硬化したプライマー層の少なくとも一部に塗布する工程と、
（ｄ）前記反射性金属インキを乾燥させて、硬化したプライマー上に反射性金属インキ層を形成させる工程と、を含む方法。
【請求項１４】
前記プライマー組成物を、１５ｂｃｍアニロックスを備えたＴＭＩ  Ｆｌｅｘｉｐｒｏｏｆｅｒを使用してＬｅｎｅｔａ  Ｎ２Ａ−３チャート上に適用し、硬化すると、少なくとも３７ｍＮ／ｍの分散表面エネルギーを有し、２０度の角度で５５を超える光沢、および６０度の角度で８３を超える光沢を有する上面がもたらされる、請求項１３に記載の方法。
【請求項１５】
前記プライマー組成物を、１５ｂｃｍアニロックスを備えたＴＭＩ  Ｆｌｅｘｉｐｒｏｏｆｅｒを使用してＬｅｎｅｔａ  Ｎ２Ａ−３チャート上に適用し、硬化し、次いで、ＳＣ１７６０４アセテート溶剤系の真空金属蒸着顔料銀色インキをＭｅｙｅｒ３番バーを用いて塗布して重ね刷りし、乾燥させると、少なくとも８０％の輝度指数を有する上面がもたらされる、請求項１３に記載の方法。